Podtech/llm-jp-corpus-v4-ja_patent huggingface dataset:
【手続補正書】
【提出日】令和1年7月30日(2019.7.30)
【手続補正１】
【補正対象書類名】明細書
【補正対象項目名】００７０
【補正方法】変更
【補正の内容】
【００７０】
このようにして、本発明に係る方法および装置によれば、焙煎中のコーヒー豆から導き出される熱変数及び音変数（温度、音圧、伝達熱及び音エネルギー）に基づいた焙煎機器１０の動作パラメータの連続的なフィードバック制御によって焙煎が行われる。有利なことに、この制御は、熱変数及び音変数の瞬時値と、設定可能な時間期間で決められる傾向値（tendential value）との両方に基づいて実行される。これにより、有利なことに、コーヒー豆内で進行中の化学的変化の実際の進展に対して焙煎機器１０の動作を連続的に適応させることが可能な手法に従い、コーヒー（又は同様の食品）を極めて正確に且つ高い信頼度で焙煎することが可能となる。
なお、本発明は、実施の態様として以下の内容を含む。
〔態様１〕
食品を焙煎する方法であって、
−所定の食品種類のバッチを焙煎機器に入れるステップと、
−前記食品の加熱であって、前記食品を焙煎するように適合化された加熱を開始するために、前記焙煎機器の動作パラメータを、前記所定の食品種類用の初期基準値に従って設定するステップと、
−前記食品の前記加熱中の前記焙煎機器の動作のフィードバック制御を、
＊前記食品により発せられる音であって、ヒトの耳の可聴周波数域と超音波周波数域の両方を含む周波数範囲で検出される音と相関関係のある音量の数値を瞬間ごとに取得する副ステップ、
＊各瞬間に取得された前記音量の数値を、前記所定の食品種類についての前記音量対時間の焙煎曲線において前記音量が当該瞬間に取る数値と比較する副ステップ、および
＊前記比較の結果に応じて前記焙煎機器の前記動作パラメータを瞬間ごとに調節する副ステップ、
により実行するステップと、
を備える、方法。
〔態様２〕
態様１に記載の方法において、前記食品の前記加熱が、前記食品を熱風流に曝すことによって行われる、方法。
〔態様３〕
態様２に記載の方法において、前記焙煎機器の前記動作パラメータが、熱風温度および熱風流速のうちの少なくとも１つを含む、方法。
〔態様４〕
態様２に記載の方法において、前記焙煎機器は、内部に前記食品が入れられる反応器を備え、前記動作パラメータが、熱風温度、熱風流速、および前記反応器の少なくとも１つの回転部材の回転速度のうちの少なくとも１つを含む、方法。
〔態様５〕
態様１から４のいずれか一態様に記載の方法において、前記音量が、前記食品により発せられる前記音の音圧または強度を表す、方法。
〔態様６〕
態様１から５のいずれか一態様に記載の方法において、さらに、
前記食品により発せられる前記音の周波数を瞬間ごとに取得して、経時的に取得された周波数によって前記食品種類を特定するステップ、
を備える、方法。
〔態様７〕
態様６に記載の方法において、さらに、
前記音量の数値の前記比較が、前記食品種類についての実際の前記音量対時間の焙煎曲線であって、そのように特定された焙煎曲線に基づいて行われていることを確認するステップ、
を備える、方法。
〔態様８〕
態様１から７のいずれか一態様に記載の方法において、前記食品の前記加熱中の前記焙煎機器の動作のフィードバック制御を実行する前記ステップが、さらに、
＊前記加熱中に前記食品が達する温度を表す温度の数値を瞬間ごとに取得する副ステップ、および
＊各瞬間に取得された前記温度の数値を、前記所定の食品種類についての温度対時間の焙煎曲線において前記温度が当該瞬間に取る数値と比較する副ステップ、
を含み、前記焙煎機器の前記動作パラメータを瞬間ごとに調節する前記副ステップが、前記温度の数値の前記比較の結果にも基づいて行われる、方法。
〔態様９〕
態様１から８のいずれか一態様に記載の方法において、前記食品の前記加熱中の前記焙煎機器の動作のフィードバック制御を実行する前記ステップが、さらに、
＊瞬間ごとに、当該瞬間までに前記食品により放出される音エネルギーの数値を求める副ステップ、および
＊各瞬間に取得された前記音エネルギーの数値を、前記所定の食品種類についての音エネルギー対時間の焙煎曲線において前記音エネルギーが当該瞬間に取る数値と比較する副ステップ、
を含み、前記焙煎機器の前記動作パラメータを瞬間ごとに調節する前記副ステップが、前記音エネルギーの数値の前記比較の結果にも基づいて行われる、方法。
〔態様１０〕
態様１から９のいずれか一態様に記載の方法において、前記食品の前記加熱中の前記焙煎機器の動作のフィードバック制御を実行する前記ステップが、さらに、
＊瞬間ごとに、当該瞬間までに前記食品に伝達された伝達熱を表す数値を求める副ステップ、および
＊各瞬間に求められた前記伝達熱を表す数値を、前記所定の食品種類についての伝達熱対時間の焙煎曲線において前記伝達熱が当該瞬間に取る数値と比較する副ステップ、
を含み、前記焙煎機器の前記動作パラメータを瞬間ごとに調節する前記副ステップが、前記伝達熱の数値の前記比較の結果にも基づいて行われる、方法。
〔態様１１〕
態様１から１０のいずれか一態様に記載の方法において、前記食品が、コーヒー豆、大麦粒またはナッツ類で構成される、方法。
〔態様１２〕
態様１、８、９または１０に記載の方法において、前記食品が焙煎されると、瞬間ごとに取得されたか又は求められた、前記音量、前記温度、前記音エネルギーおよび前記伝達熱の任意の１つまたは複数の数値をデータベースに記憶し、かつ、当該数値を前記所定の食品種類に、音量、温度、音エネルギーおよび伝達熱の任意の１つまたは複数の焙煎曲線として関連付ける、方法。
〔態様１３〕
態様１、８、９または１０に記載の方法において、前記食品が焙煎されると、瞬間ごとに行われた前記焙煎機器の前記動作パラメータの調節をデータベースに記憶し、かつ、当該調節を前記所定の食品種類に前記動作パラメータの所定の基準値として関連付ける、方法。
〔態様１４〕
食品を焙煎する装置であって、
−焙煎対象である所定の食品種類のバッチを受け入れるように構成された焙煎機器であって、ヒトの耳の可聴周波数域および超音波周波数域を含む周波数範囲で動作する音センサを含む、焙煎機器と、
−前記焙煎機器の動作パラメータに作用することにより前記焙煎機器の動作を調節する制御装置と、
−複数の食品種類のそれぞれについて、音量対時間の対応する焙煎曲線および前記動作パラメータの対応する初期基準値を記憶するように構成されたデータベースと、
を備え、前記制御装置が、
−前記食品の加熱であって、前記食品を焙煎するように適合化された加熱を開始するために、前記動作パラメータを、前記データベース内において前記所定の食品種類についての対応する初期基準値に従って初期設定し、
−前記食品の前記加熱中の前記焙煎機器の動作のフィードバック制御を、
＊前記食品により発せられる音であって、前記音センサにより検出される音の音量の数値を瞬間ごとに取得することにより、かつ、
＊各瞬間に取得された前記音量の数値を、前記データベース内において前記所定の食品種類についての前記音量対時間の対応する焙煎曲線において前記音量が当該瞬間に取る数値と比較することにより、かつ、
＊前記比較の結果に応じて前記焙煎機器の前記動作パラメータを瞬間ごとに調節することにより、
実行するように構成されている、装置。
【手続補正書】
【提出日】令和1年11月11日(2019.11.11)
【手続補正１】
【補正対象書類名】特許請求の範囲
【補正対象項目名】全文
【補正方法】変更
【補正の内容】
【特許請求の範囲】
【請求項１】
第1の加入者識別モジュール(SIM)に関連付けられた第1のサブスクリプションと第2のSIMに関連付けられた第2のサブスクリプションとを有する、ユーザ機器(UE)を管理する方法であって、
前記第1のサブスクリプションに関連付けられた第1のサブスクリプション通信モード中に、前記UEにおいて、ノードからの通信を受信および復号するステップと、
前記UEと前記ノードとの間の通信のためのスケジューリングレートを決定するステップと、
前記決定されたスケジューリングレートがしきい値より低いとき、かつ前記ノードから前記UEへの通信に応答して、前記通信が適切に受信および復号されているにもかかわらず、前記第1のサブスクリプション通信モード中に、前記UEが前記第2のサブスクリプションに関連付けられた第2のサブスクリプション通信モードにおいて通信する離調期間より前のある時間期間に、前記UEから前記ノードに少なくとも1つのNACKメッセージを送るステップと、
前記UEが前記第2のサブスクリプション通信モードで通信する前記離調期間に入るステップと、
前記離調期間が終了した後および前記第1のサブスクリプション通信モード中に、前記UEにおいて前記ノードからの通信を受信し、前記ノードから前記UEへの前記通信の受信を肯定応答するためにACKメッセージで応答するステップと
を含む方法。
【請求項２】
前記ノードからの再送信である、前記離調期間後に受信された、前記受信された通信が、再送信として受信されたとき、前記UEによって復号されない、請求項1に記載の方法。
【請求項３】
前記UEが前記離調期間に入るより前に、前記ある時間期間を決定するステップをさらに含む、請求項1に記載の方法。
【請求項４】
前記第1のサブスクリプション通信モードがロングタームエボリューション(LTE)であり、前記第2のサブスクリプション通信モードがモバイル通信用グローバルシステム(GSM(登録商標))である、請求項1に記載の方法。
【請求項５】
前記しきい値が50%である、請求項1に記載の方法。
【請求項６】
前記スケジューリングレートの前記決定が、前記離調期間より100ms前に行われる、請求項1に記載の方法。
【請求項７】
ユーザ機器(UE)であって、
少なくとも1つの無線周波数(RF)リソースと、
前記少なくとも1つのRFリソースに結合され、第1のサブスクリプションに関連付けられた第1の加入者識別モジュール(SIM)に、および第2のサブスクリプションに関連付けられた第2のSIMに接続するように構成され、プロセッサ実行可能命令で構成された、プロセッサであって、前記プロセッサ実行可能命令が、
前記第1のサブスクリプションに関連付けられた第1の通信モード中に、前記UEにおいてノードからの通信を受信および復号すること、
前記UEと前記ノードとの間の通信のためのスケジューリングレートを決定すること、
前記決定されたスケジューリングレートがしきい値より低いとき、かつ前記ノードから前記UEへの通信に応答して、前記通信が適切に受信および復号されているにもかかわらず、第1のサブスクリプション通信モード中に、前記UEが前記第2のサブスクリプションに関連付けられた第2のサブスクリプション通信モードにおいて通信する離調期間より前のある時間期間に、前記ノードに少なくとも1つのNACKメッセージを送ること、
前記UEが前記第2のサブスクリプション通信モードで通信する前記離調期間に入るステップと、
前記離調期間の後および前記第1のサブスクリプション通信モード中に、前記ノードからの通信を受信し、前記ノードから前記UEへの前記通信の受信を肯定応答するためにACKメッセージで応答すること
を行うためのものである、ワイヤレス通信デバイス。
【請求項８】
前記しきい値が50%である、請求項7に記載のデバイス。
【請求項９】
前記スケジューリングレートの前記決定が、前記離調期間より100ms前に行われる、請求項7に記載のデバイス。
【請求項１０】
通信システムであって、前記通信システムが、
第1のサブスクリプションモードにおいて通信するように構成されたシングルモード通信ノードと、
第1の加入者識別モジュール(SIM)に関連付けられた第1のサブスクリプション通信モード、および第2のSIMに関連付けられた第2のサブスクリプション通信モードにおいて選択的に動作するように構成されたデュアルモード通信デバイスとを備え、前記デュアルモード通信デバイスが、
前記第1のサブスクリプション通信モードにおいて前記シングルモード通信ノードからの通信を受信および復号すること、
前記シングルモード通信ノードとの通信のためのスケジューリングレートを決定すること、
前記決定されたスケジューリングレートがしきい値より低いとき、かつ前記シングルモード通信ノードから前記デュアルモード通信デバイスへの通信に応答して、前記通信が適切に受信および復号されているにもかかわらず、前記第1のサブスクリプション通信モード中に、前記デュアルモード通信デバイスが第2のサブスクリプション通信モードにおいて通信する離調期間より前のある時間期間に、前記シングルモード通信ノードに少なくとも1つのNACKメッセージを送ること、
前記デュアルモード通信デバイスが前記第2のサブスクリプション通信モードで通信する前記離調期間に入ること、および
前記離調期間が終了した後および前記第1のサブスクリプション通信モード中に、前記シングルモード通信ノードから前記デュアルモード通信デバイスへの前記通信の受信を肯定応答するために、前記シングルモード通信ノードから受信された通信に、ACKメッセージで応答すること
を行うように構成される、通信システム。
【請求項１１】
前記デュアルモード通信デバイスが、前記離調期間の直前の時間期間において、前記シングルモード通信ノードから受信された前記通信を復号するように構成される、請求項10に記載の通信システム。
【請求項１２】
前記通信が、前記離調期間の直前の前記時間期間において行われた通信の再送信である場合、前記デュアルモード通信デバイスが、前記離調期間が終了した後に、前記シングルモード通信ノードから受信された前記通信を復号しないように構成される、請求項11に記載の通信システム。
【請求項１３】
前記離調期間の直前の前記時間期間が6msである、請求項11に記載の通信システム。
【請求項１４】
前記スケジューリングレートの前記決定が、前記離調期間より100ms前に行われる、請求項10に記載の通信システム。
【請求項１５】
ワイヤレス通信デバイスのプロセッサによって実行されると、前記ワイヤレス通信デバイスに請求項１〜６の何れか一項に記載の方法のすべてのステップを実行させるプロセッサ実行可能な命令を有するプロセッサ可読記憶媒体。
【手続補正書】
【提出日】令和1年9月30日(2019.9.30)
【手続補正１】
【補正対象書類名】特許請求の範囲
【補正対象項目名】全文
【補正方法】変更
【補正の内容】
【特許請求の範囲】
【請求項１】
Ｔ細胞受容体（ＴＣＲ）遺伝子の発現がＴＣＲＡ遺伝子のエクソンｃ１、ｃ２またはｃ３の改変によってモジュレートされる、単離細胞。
【請求項２】
配列番号８〜２１および／または９２〜１０３のいずれかに示す標的部位に結合するＤＮＡ結合ドメインならびに機能的（fumctional）ドメインを含む外因性融合分子を含む、請求項１に記載の細胞。
【請求項３】
配列番号８〜２１、９２〜１０３、ＡＡＣＡＧＴ、ＡＧＴＧＣＴ、ＣＴＣＣＴ、ＴＴＧＡＡＡ、ＴＧＧＡＣＴＴおよび／またはＡＡＴＣＣＴＣの１つまたは複数の中に挿入および／または欠失を含む、請求項１に記載の細胞。
【請求項４】
不活性化ベータ２ミクログロブリン（Ｂ２Ｍ）、ＰＤ１および／またはＣＴＬＡ４遺伝子をさらに含む、請求項１から３のいずれかに記載の細胞。
【請求項５】
キメラ抗原受容体（ＣＡＲ）をコードする導入遺伝子、抗体結合Ｔ細胞受容体（ＡＣＴＲ）をコードする導入遺伝子および／または工学技術で作製されたＴＣＲをコードする導入遺伝子をさらに含む、請求項１から４のいずれかに記載の細胞。
【請求項６】
リンパ系細胞、幹細胞または前駆細胞である、請求項１から５のいずれかに記載の細胞。
【請求項７】
Ｔ細胞、人工多能性幹細胞（ｉＰＳＣ）、胚性幹細胞、間葉系幹細胞（ＭＳＣ）または造血幹細胞（ＨＳＣ）である、請求項５に記載の細胞。
【請求項８】
請求項１から７のいずれかに記載の細胞を含む、医薬組成物。
【請求項９】
ＴＣＲ遺伝子のエクソンｃ１、ｃ２またはｃ３に結合するＤＮＡ結合ドメインと、転写制御ドメインまたはヌクレアーゼドメインとを含む融合分子であって、該ＤＮＡ結合ドメインが表１の１つの行に示すジンクフィンガータンパク質（ＺＦＰ）または表２の１つの行に示す単一ガイドＲＮＡ（ｓｇＲＮＡ）を含む、融合分子。
【請求項１０】
請求項９に記載の前記融合分子をコードする、ポリヌクレオチド。
【請求項１１】
ウイルスベクター、プラスミドまたはｍＲＮＡである、請求項１０に記載のポリヌクレオチド。
【請求項１２】
がんを処置または予防するための、請求項１から７のいずれかに記載の細胞を含む組成物または請求項８に記載の医薬組成物であって、該組成物または該医薬組成物が、がんを有する被験体に導入されることを特徴とする、組成物または医薬組成物。
【請求項１３】
がんを有する被験体の処置のための、請求項１から７のいずれかに記載の細胞を含む組成物または請求項８に記載の医薬組成物または請求項９に記載の融合分子を含む組成物または請求項１０に記載のポリヌクレオチドを含む組成物。
【手続補正２】
【補正対象書類名】明細書
【補正対象項目名】００２９
【補正方法】変更
【補正の内容】
【００２９】
さらに、本明細書に記載されるいずれの方法もｉｎ  ｖｉｔｒｏ、ｉｎ  ｖｉｖｏおよび／またはｅｘ  ｖｉｖｏで実施することができる。ある特定の実施形態では、方法は、例えばＴ細胞を改変して、それらを、被験体（例えば、がんを有する被験体）を処置する同種異系の状況（allogenic  setting）における治療剤として有用にするために、ｅｘ  ｖｉｖｏで実施される。処置および／または予防することができるがんの非限定的例には、肺癌、膵臓がん、肝がん、骨がん、乳がん、結腸直腸がん、白血病、卵巣がん、リンパ腫、脳がんなどが含まれる。
特定の実施形態では、例えば、以下が提供される：
（項目１）
Ｔ細胞受容体（ＴＣＲ）遺伝子の発現がＴＣＲＡ遺伝子のエクソンｃ１、ｃ２またはｃ３の改変によってモジュレートされる、単離細胞。
（項目２）
配列番号８〜２１および／または９２〜１０３のいずれかに示す標的部位に結合するＤＮＡ結合ドメインならびに機能的（fumctional）ドメインを含む外因性融合分子を含む、項目１に記載の細胞。
（項目３）
配列番号８〜２１、９２〜１０３、ＡＡＣＡＧＴ、ＡＧＴＧＣＴ、ＣＴＣＣＴ、ＴＴＧＡＡＡ、ＴＧＧＡＣＴＴおよび／またはＡＡＴＣＣＴＣの１つまたは複数の中に挿入および／または欠失を含む、項目１に記載の細胞。
（項目４）
不活性化ベータ２ミクログロブリン（Ｂ２Ｍ）、ＰＤ１および／またはＣＴＬＡ４遺伝子をさらに含む、項目１から３のいずれかに記載の細胞。
（項目５）
キメラ抗原受容体（ＣＡＲ）をコードする導入遺伝子、抗体結合Ｔ細胞受容体（ＡＣＴＲ）をコードする導入遺伝子および／または工学技術で作製されたＴＣＲをコードする導入遺伝子をさらに含む、項目１から４のいずれかに記載の細胞。
（項目６）
リンパ系細胞、幹細胞または前駆細胞である、項目１から５のいずれかに記載の細胞。
（項目７）
Ｔ細胞、人工多能性幹細胞（ｉＰＳＣ）、胚性幹細胞、間葉系幹細胞（ＭＳＣ）または造血幹細胞（ＨＳＣ）である、項目５に記載の細胞。
（項目８）
項目１から７のいずれかに記載の細胞を含む、医薬組成物。
（項目９）
ＴＣＲ遺伝子のエクソンｃ１、ｃ２またはｃ３に結合するＤＮＡ結合ドメインと、転写制御ドメインまたはヌクレアーゼドメインとを含む融合分子であって、該ＤＮＡ結合ドメインが表１の１つの行に示すジンクフィンガータンパク質（ＺＦＰ）または表２の１つの行に示す単一ガイドＲＮＡ（ｓｇＲＮＡ）を含む、融合分子。
（項目１０）
項目９に記載の前記融合分子をコードする、ポリヌクレオチド。
（項目１１）
ウイルスベクター、プラスミドまたはｍＲＮＡである、項目１０に記載のポリヌクレオチド。
（項目１２）
項目１から７のいずれかに記載の細胞または項目８に記載の医薬組成物をがんを有する被験体に導入することを含む、がんを処置または予防する方法。
（項目１３）
項目１から７のいずれかに記載の細胞、項目８に記載の医薬組成物または項目９に記載の融合分子または項目１０に記載のポリヌクレオチドの、がんを有する被験体の処置のための使用。
【手続補正書】
【提出日】令和1年10月29日(2019.10.29)
【手続補正１】
【補正対象書類名】特許請求の範囲
【補正対象項目名】全文
【補正方法】変更
【補正の内容】
【特許請求の範囲】
【請求項１】
保守用車両（１）であって、端側で複数のレール走行装置（２）上に支持された車両フレーム（３）から成り、該車両フレーム（３）に配置されている複数の側壁（８）を備え、該側壁（８）によって画定された作業スペース（９）が軌道（７）上に位置する労働力に対して提供される、保守用車両（１）において、
前記作業スペース（９）内に位置する軌道区分を加工するために、少なくとも３つの運動軸（１４）と、エネルギ供給に用いられる媒体用連結装置（１５）と、軌道加工工具（１７）に選択的に結合するための工具用連結装置（１６）とを有する産業用ロボット（１８）が、当該車両（１）に配置されていることを特徴とする、保守用車両（１）。
【請求項２】
前記産業用ロボット（１８）は、駆動装置（１９）によって、前記車両長手方向（６）に延在しているロボットガイド（２０）に摺動可能に支持されていることを特徴とする、請求項１記載の車両。
【請求項３】
前記ロボットガイド（２０）は、鉛直線に関して前記作業スペース（９）の上側の画定部を形成している前記車両フレーム（３）に配置されていることを特徴とする、請求項２記載の車両。
【請求項４】
前記産業用ロボット（１８）は、特に連結装置側の端部（２４）に配置されたセンサ系（２５）であって、前記作業スペース（９）内でアクセス可能であり、レール（１３）と、まくらぎ（２１）と、レール締結装置（２２）とから構成された軌道構成要素（２３）を非接触式に走査するセンサ系（２５）を有することを特徴とする、請求項１から３までのいずれか１項記載の車両。
【請求項５】
前記産業用ロボット（１８）に対応して配置された制御装置（２６）は、前記センサ系（２５）によって検出され前記ロボットによって加工された前記軌道構成要素（２３）の作業品質を表すパラメータを記憶するように構成されていることを特徴とする、請求項１から４までのいずれか１項記載の車両。
【請求項６】
前記産業用ロボット（１８）は、前記作業スペース（９）内に設けられた工具載置部（２７）に選択的に取り付けられるように載置された前記軌道加工工具（１７）に自動的に連結し、前記媒体用連結装置（１５）を介して前記軌道加工工具（１７）に自動的にエネルギを供給するように、かつこれに続いて所定のプログラムモードで自動的に進行する作業を導入するように構成されていることを特徴とする、請求項１から５までのいずれか１項記載の車両。
【請求項７】
前記制御装置（２６）は、特に前記レール（１３）を取り付けるまたは取り外すための前記産業用ロボット（１８）と、前記車両フレーム（３）に前記車両長手方向（６）で摺動可能なスプリングバランサ（２８）とを組み合わせて作業を導入するように構成されていることを特徴とする、請求項５記載の車両。
【請求項８】
防護された作業スペース（９）を提供するために保守用車両（１）によって画定される、軌道（７）の所定の区分上で保守作業を実施する方法において、
ａ）作業を計画的に導入するために、適切な軌道加工工具（１７）を、前記作業スペース（９）内で予め載置された工具（１７）の群から選択し、自動的に、産業用ロボット（１８）に機械的に連結するだけではなく、完全なエネルギ供給に関して連結し、
ｂ）前記産業用ロボット（１８）に配置されたセンサ系（２５）を用いて、前記工具（１７）の後続の作業を自動的に導入するための基準ベースを提供するために、加工されるべき軌道構成要素（２３）を非接触式に走査する、
ことを特徴とする、方法。
【請求項９】
前記作業の導入中に、前記センサ系（２５）によって、前記軌道構成要素（２３）、好ましくは削正されるべきレール（１３）を非接触式に走査し、得られた測定データを記憶された目標状態と比較することを特徴とする、請求項８記載の方法。
【請求項１０】
前記作業の導入を、前記センサ系（２５）によって目標状態の到達が記録されるまで自動的に繰り返される複数の作業工程から構成することを特徴とする、請求項９記載の方法。
【手続補正書】
【提出日】令和1年11月1日(2019.11.1)
【手続補正１】
【補正対象書類名】特許請求の範囲
【補正対象項目名】全文
【補正方法】変更
【補正の内容】
【特許請求の範囲】
【請求項１】
装飾部品であって、
（ａ）凸状に湾曲した領域を有するファセット面を含む透明な宝石と、
（ｂ）凸状に湾曲した領域を有するファセット面に設けられた透明導電層と、
（ｃ）波長選択層であって、
（ｃ１）ファセット面とは反対側の平坦な表面、または
（ｃ２）光電池に、設けられた波長選択層と、
（ｄ）光電池と、
（ｅ）接触感応式の電気回路と、を備えた装飾部品。
【請求項２】
宝石は、ガラスまたはプラスティックで形成された、請求項１に記載の装飾部品。
【請求項３】
宝石は、平凸形状または平凸凹形状を有する、請求項１に記載の装飾部品。
【請求項４】
（ｂ）透明導電層は、Ｃｒ、Ｔｉ、Ｚｒ、酸化インジウムスズ、アルミニウムドープ酸化亜鉛、酸化ガリウム亜鉛、酸化チタン亜鉛、フッ素ドープ酸化スズ、酸化アンチモンスズ、酸化タンタルスズ、酸化チタンニオブ、またはこれらの化合物の任意の順序による任意の組合せのうちの少なくとも一種の化合物を含む、請求項１〜３のいずれか１項に記載の装飾部品。
【請求項５】
（ｂ）透明導電層は、湾曲ファセット面の少なくとも２つの分離した領域に設けられた、請求項１〜４のいずれか１項に記載の装飾部品。
【請求項６】
（ｂ）透明導電層は、３８０〜１２００ｎｍの波長領域において透明である、請求項１〜５のいずれか１項に記載の装飾部品。
【請求項７】
（ｂ）透明導電層は、少なくとも６０％の透過率を有する、請求項１〜６のいずれか１項に記載の装飾部品。
【請求項８】
（ｃ）波長選択層は、波長選択コーティングまたは波長選択フィルムから選択される、請求項１〜７のいずれか１項に記載の装飾部品。
【請求項９】
（ｃ）波長選択層は、少なくとも金属および／または金属化合物を含む、請求項１〜８のいずれか１項に記載の装飾部品。
【請求項１０】
（ｃ）波長選択層は、３８０〜８５０ｎｍの波長光の一部を反射する、請求項１〜９のいずれか１項に記載の装飾部品。
【請求項１１】
（ｃ）波長選択層は、光ビームの入射角が０°であるときに測定された場合、４００〜１２００ｎｍの波長帯域のうち反射間隔の外側にある帯域において、８０％を超える平均透過率を有する、請求項１〜１０のいずれか１項に記載の装飾部品。
【請求項１２】
波長選択層は、Ｃｒ、Ｃｒ２Ｏ３、Ｎｉ、ＮｉＣｒ、Ｆｅ、Ｆｅ２Ｏ３、Ａｌ、Ａｌ２Ｏ３、Ａｕ、ＳｉＯｘ、Ｍｎ、Ｓｉ、Ｓｉ３Ｎ４、ＴｉＯｘ、Ｃｕ、Ａｇ、Ｔｉ、ＣｅＦ３、ＭｇＦ２、Ｎｂ２Ｏ５、Ｔａ２Ｏ５、ＳｎＯ２、ＺｎＯ２、ＭｇＯ、ＣｅＯ２、ＷＯ３、Ｐｒ２Ｏ３、Ｙ２Ｏ３；ＢａＦ２、ＣａＦ２、ＬａＦ３、ＮｄＦ３、ＹＦ３；ＺｒＯ２、ＨｆＯ２、ＺｎＳ；Ａｌの酸窒化物、Ｓｉの酸窒化物、およびＳｎＺｎＯの酸窒化物、またはこれらの化合物の任意の順序による任意の組合せからなる群から選択される少なくとも一種の化合物を含む、請求項１〜１１のいずれか１項に記載の装飾部品。
【請求項１３】
（ｄ）光電池は、裏面接触型の太陽電池である、請求項１〜１２のいずれか１項に記載の装飾部品。
【請求項１４】
（ｅ）接触感応式の電気回路は、静電容量型センサを有する、請求項１〜１３のいずれか１項に記載の装飾部品。
【請求項１５】
電子デバイスの機能を制御し、電源を供給するための、請求項１〜１４のいずれか１項に記載の装飾部品の利用。
【手続補正書】
【提出日】令和1年9月2日(2019.9.2)
【手続補正１】
【補正対象書類名】特許請求の範囲
【補正対象項目名】全文
【補正方法】変更
【補正の内容】
【特許請求の範囲】
【請求項１】
モバイル患者監視デバイスであって、
スキャン閾値と前記スキャン閾値以下のローミング閾値とを持つ無線装置であって、現在のアクセスポイント電力が前記スキャン閾値を下回るが、前記ローミング閾値を上回るとき、利用可能なアクセスポイントを特定するためにスキャンを行い、現在のアクセスポイント電力が前記ローミング閾値を下回るとき、利用可能なアクセスポイントにローミングする、無線装置と、
少なくとも１つのプロセッサを含むデバイス電子機器とを有し、前記プロセッサが、
少なくとも１つの関連する生理学的センサからバイタルサインデータを受信し、
少なくとも前記患者運動分類に基づき、前記無線装置の前記スキャン及びローミング閾値に関する値を割り当て、
前記受信されたバイタルサインデータに基づき、異なる患者運動分類に関するスキャン及びローミング閾値を列挙するルックアップテーブルにおいて計算又は格納されたスキャン及びローミング閾値を更新するようプログラムされる、モバイル患者監視デバイス。
【請求項２】
前記少なくとも１つのプロセッサが、急速な患者の動きに対応する患者運動分類に関してより高いスキャン及びローミング閾値を割り当て又は計算し、患者休息分類を含む患者運動分類に関してより低いスキャン及びローミング閾値を割り当て又は計算するようプログラムされる、請求項１に記載のモバイル患者監視デバイス。
【請求項３】
前記少なくとも１つのプロセッサが、前記受信されたバイタルサインデータに更に基づき、前記スキャン閾値及び前記ローミング閾値を割り当てるようプログラムされる、請求項１又は２に記載のモバイル患者監視デバイス。
【請求項４】
前記少なくとも１つのプロセッサが、生理学的に異常又は不安定な受信バイタルサインデータに基づき、前記スキャン閾値及び前記ローミング閾値を増加させるようプログラムされる、請求項１乃至３の任意の一項に記載のモバイル患者監視デバイス。
【請求項５】
前記少なくとも１つのプロセッサが、生理学的に正常又は安定した受信バイタルサインデータに基づき、前記スキャン閾値及び前記ローミング閾値を減少させるようプログラムされる、請求項１乃至４の任意の一項に記載のモバイル患者監視デバイス。
【請求項６】
前記少なくとも１つのプロセッサが、最後のスキャンにより識別された前記利用可能なアクセスポイントを含むアクセスポイントテーブルを生成するようプログラムされ、
前記無線装置が、前記生成されたアクセスポイントテーブルから前記利用可能なアクセスポイントを取得することによりローミングを実行する、請求項１乃至５の任意の一項に記載のモバイル患者監視デバイス。
【請求項７】
前記少なくとも１つのプロセッサが更に、
前記３Ｄ加速度計により測定された加速度に基づき、起こりうる患者の転倒を検出する転倒センサを実現し、前記転倒センサが患者の転倒の可能性を検出するとき、前記デバイス電子機器の警報器における音声警報及び前記デバイス電子機器のディスプレイにおける視覚警報の少なくとも１つを生成するようプログラムされる、請求項１乃至６の任意の一項に記載のモバイル患者監視デバイス。
【請求項８】
一体型ディスプレイを含むハウジングであって、前記無線装置、前記３Ｄ加速度計、及び前記デバイス電子機器が前記ハウジングの内部に収容され、前記モバイル患者監視デバイスが、一体型装置であり、前記３Ｄ加速度計は、前記モバイル患者監視デバイスの加速度を測定する、ハウジングと、
少なくとも１つの関連付けられる生理学的センサが前記モバイル患者監視デバイスと動作可能に接続されるためのセンサポートとを更に有する、請求項１乃至７の任意の一項に記載のモバイル患者監視デバイス。
【請求項９】
一体型ディスプレイを含むハウジングであって、前記無線及び前記デバイス電子機器が、前記ハウジング内に収容され、前記モバイル患者監視デバイスは、一体型デバイスである、ハウジングと、
少なくとも１つの関連付けられる生理学的センサが前記モバイル患者監視デバイスと動作可能に接続されるためのセンサポートとを更に有し、
前記３Ｄ加速度計が、前記ハウジングの内部に配置されていない別個のユニットであり、前記３Ｄ加速度計は、前記センサポートを介して前記モバイル患者監視デバイスと動作可能に接続される、請求項１乃至７の任意の一項に記載のモバイル患者監視デバイス。
【請求項１０】
処理を実行するよう１つ又は複数のマイクロプロセッサにより読み出し可能かつ実行可能な命令を格納する非一時的記憶媒体であって、前記処理が、
取得されるバイタルサインデータを受信するステップと、
現在のアクセスポイント電力がスキャン閾値以下だが、ローミング閾値を上回るとき、無線装置を作動させ、利用可能なアクセスポイントを識別するステップと、
現在のアクセスポイント電力が前記ローミング閾値を下回るとき、前記無線装置を動作させ、利用可能なアクセスポイントにローミングさせるステップと、
３Ｄ加速度計から受信した加速度データセット及び前記無線装置により検出されたクセスポイント電力の少なくとも１つから患者の動きを分類するステップと、
前記患者の運動分類に基づき、前記無線の前記スキャン及びローミング閾値に関する値を割り当てるステップと、
前記受信されたバイタルサインデータに基づき、異なる患者運動分類に関するスキャン及びローミング閾値を列挙するルックアップテーブルにおいて計算又は格納されたスキャン及びローミング閾値を更新するステップとを有する、非一時的記憶媒体。
【請求項１１】
最高スキャン及びローミング閾値が、急速な患者の動き又は転倒に対応する患者運動分類に割り当てられ、最低スキャン及びローミング閾値は、患者休息分類に対応する患者運動分類に割り当てられる、請求項１０に記載の非一時的記憶媒体。
【請求項１２】
前記割り当てるステップが、異常バイタルサインデータに基づき、前記スキャン閾値及び前記ローミング閾値を増加させるステップを含む、請求項１０又は１１に記載の非一時的記憶媒体。
【請求項１３】
前記割り当てるステップが、生理学的に正常な又は安定した受信バイタルサインデータに基づき、前記スキャン閾値及び前記ローミング閾値を減少させるステップを含む、請求項１０乃至１２の任意の一項に記載の非一時的記憶媒体。
【請求項１４】
前記分類するステップが、前記３Ｄ加速度計から受信した加速度データから患者の動きを分類するステップを有する、請求項１０乃至１３の任意の一項に記載の非一時的記憶媒体。
【手続補正書】
【提出日】令和1年9月6日(2019.9.6)
【手続補正１】
【補正対象書類名】特許請求の範囲
【補正対象項目名】全文
【補正方法】変更
【補正の内容】
【特許請求の範囲】
【請求項１】
手術システムであって、当該手術システムは、
入力装置と、
該入力装置から制御入力を受信し、触覚フィードバックを前記入力装置に提供するコントローラと、を有しており、
前記コントローラは、当該手術システムが第１の触覚フィードバックプロファイルに関連する第１の制御状態から第２の触覚フィードバックプロファイルに関連する第２の制御状態に移行するときに、前記入力装置における前記第１の触覚フィードバックプロファイルから前記入力装置における前記第２の触覚フィードバックプロファイルに段階的な移行を適用するように構成される、
手術システム。
【請求項２】
前記段階的な移行は、前記第１の触覚フィードバックプロファイルの線形スケーリング、曲線スケーリング、及び方向修正のうちの少なくとも１つを含む、請求項１に記載の手術システム。
【請求項３】
前記段階的な移行はゼロ力状態を含む、請求項１又は２に記載の手術システム。
【請求項４】
前記段階的な移行は、前記触覚フィードバックプロファイルの力の大きさをスケーリングすることを含む、請求項１又は２に記載の手術システム。
【請求項５】
前記段階的な移行は、前記触覚フィードバックプロファイルの力の角度を変化させることを含む、請求項１又は２に記載の手術システム。
【請求項６】
器具をさらに有し、第１の制御モードは、器具制御モードを含む、請求項１に記載の手術システム。
【請求項７】
前記第１及び第２の制御状態は、器具制御モード、クラッチモード、器具交換モード、カメラ制御モード、システム設定モード、アーム交換モード、後続ステップ終了モード、及び合成対話型要素操作モードのうちの異なるモードを含む、請求項１又は６に記載の手術システム。
【請求項８】
前記段階的な移行は、前記入力装置における前記第１の触覚フィードバックプロファイルを所定の期間に亘って維持することを含む、請求項１又は２に記載の手術システム。
【請求項９】
前記コントローラは、少なくとも１つの触覚効果を前記段階的な移行に重ねた状態にするようにさらに構成される、請求項１又は２に記載の手術システム。
【請求項１０】
前記コントローラは、当該手術システムが前記第２の制御状態から前記第１の制御状態に戻るときに、前記入力装置における前記第１の触覚フィードバックプロファイルを復元するようにさらに構成される、請求項１又は２に記載の手術システム。
【請求項１１】
方法であって、当該方法は、
手術システムの入力装置において前記手術システムの第１の制御状態に関連する第１の触覚フィードバックプロファイルを生成するステップと、
前記入力装置において第２の触覚フィードバックプロファイルに関連する前記手術システムの第２の制御状態への変化を検出するステップと、
段階的な移行を、前記第１の触覚フィードバックプロファイルから前記第２の触覚フィードバックプロファイルに適用するステップと、を含む、
方法。
【請求項１２】
前記入力装置が受信した入力に従って、前記手術システムを用いて手術器具を前記第１の制御状態で制御するステップと、
前記手術器具から感知された力データを受信するステップと、
前記感知された力データに基づいて、前記第１の触覚フィードバックプロファイルを生成するステップと、を含む、請求項１１に記載の方法。
【請求項１３】
前記第１の触覚フィードバックプロファイルは、コントローラによって生成された合成対話型要素に基づく、請求項１１に記載の方法。
【請求項１４】
前記段階的な移行は、前記触覚フィードバックプロファイルの力の大きさをスケーリングすることを含む、請求項１１乃至１３のいずれか一項に記載の方法。
【請求項１５】
前記段階的な移行は、前記触覚フィードバックプロファイルの力の角度を変更することを含む、請求項１１乃至１３のいずれか一項に記載の方法。
【手続補正書】
【提出日】令和1年10月2日(2019.10.2)
【手続補正１】
【補正対象書類名】明細書
【補正対象項目名】０００１
【補正方法】変更
【補正の内容】
【０００１】
［優先権の主張］
本ＰＣＴ国際出願は２０１５年１１月４日付けで出願された米国仮特許出願第６２／２５０，８５５号（その主題の全体が引用することにより本明細書の一部をなす）の優先権の利益を主張するものである。
【手続補正書】
【提出日】平成31年2月12日(2019.2.12)
【手続補正１】
【補正対象書類名】特許請求の範囲
【補正対象項目名】全文
【補正方法】変更
【補正の内容】
【特許請求の範囲】
【請求項１】
被験者の皮膚電位を決定するウェアラブルデバイスであって、当該ウェアラブルデバイスは、
前記被験者の組織内に、７５０乃至９５０ｎｍの波長範囲内の赤外光を含む放射光を放射する光源と、
前記放射光の前記組織との相互作用後の放射光の少なくとも一部を受光する光センサと、
受光した前記光から前記皮膚電位を決定する評価ユニットと、
前記光源、前記光センサ及び前記評価ユニットを担持する支持体と、
を含み、
前記評価ユニットは、７５０乃至９５０ｎｍの波長範囲内の赤外光のみを評価し、
前記光源及び前記光センサは、互いから所定距離に配置されている、ウェアラブルデバイス。
【請求項２】
前記光源は、７５０乃至９５０ｎｍの波長範囲内の、７７５乃至８２５ｎｍの波長範囲内の、又は、８００ｎｍの波長の赤外光のみを放射する、請求項１に記載のウェアラブルデバイス。
【請求項３】
前記光センサは、７５０乃至９５０ｎｍの波長範囲内の、７７５乃至８２５ｎｍの波長範囲内の、又は、８００ｎｍの波長の赤外光のみを受光する、請求項１に記載のウェアラブルデバイス。
【請求項４】
前記評価ユニットは更に、７７５乃至８２５ｎｍの波長範囲内の、又は、８００ｎｍの波長の赤外光のみを評価する、請求項１に記載のウェアラブルデバイス。
【請求項５】
前記光源及び前記光センサは、互いから０．５ｍｍ乃至５ｍｍの範囲内、又は１ｍｍ乃至４ｍｍの範囲内の距離に配置される、請求項１に記載のウェアラブルデバイス。
【請求項６】
前記評価ユニットは、前記皮膚電位を決定するために、受光した前記光の強度を評価する、請求項１に記載のウェアラブルデバイス。
【請求項７】
前記ウェアラブルデバイスを前記被験者の身体において保持する保持要素を更に含む、請求項１に記載のウェアラブルデバイス。
【請求項８】
前記保持要素は、リストバンド、ベルト、ステッカー、バンド又はクリップを含む、請求項７に記載のウェアラブルデバイス。
【請求項９】
決定された前記皮膚電位に関する情報を発するためのユーザインターフェースを更に含む、請求項１に記載のウェアラブルデバイス。
【請求項１０】
被験者の皮膚電位を決定する方法であって、当該方法は、
光源が、前記被験者の皮膚内に、７５０乃至９５０ｎｍの波長範囲内の赤外光を含む放射光を放射するステップと、
光センサが、前記放射光の前記組織との相互作用後の放射光の少なくとも一部を受光するステップと、
評価ユニットが、受光された前記光から、前記皮膚電位の決定をするステップと、
を含み、
前記決定は、７５０乃至９５０ｎｍの波長範囲内の赤外光のみの評価に基づき、
前記光源、前記光センサ及び前記評価ユニットは、支持体によって担持され、前記光源及び前記光センサは、互いから所定距離に配置されている、方法。
【請求項１１】
７７５乃至８２５ｎｍの波長範囲内の、又は、８００ｎｍの波長の赤外光のみを評価するステップを更に含む、請求項１０に記載の方法。
【請求項１２】
請求項１に記載のウェアラブルデバイスに、請求項１０又は１１に記載の方法のステップを実行させるプログラムコード手段を含む、コンピュータプログラム。
【手続補正書】
【提出日】令和1年11月15日(2019.11.15)
【手続補正１】
【補正対象書類名】特許請求の範囲
【補正対象項目名】全文
【補正方法】変更
【補正の内容】
【特許請求の範囲】
【請求項１】
患者（Ｐ）の体内の手術器具（５）の位置調整のための誘導、追跡および案内システム（１）であって、
患者（Ｐ）の身体の内部状態と関連する複数の情報を受信するよう構成される制御ユニット（２）と、
ビューア（３）であって、前記ビューア（３）を通して前記患者（Ｐ）の前記身体の少なくとも一の内部部分（Ｐｉ）を手術医が見ることができるよう構成されるビューア（３）と、
前記ビューア（３）の空間的位置を決定するための第一検出手段（４）と、
を備えており、
前記制御ユニット（２）は、前記ビューア（３）上への、前記患者（Ｐ）の前記身体の前記少なくとも一の内部部分（Ｐｉ）の内部状態の画像の投影を制御するよう構成されており、前記画像は、前記ビューア（３）の前記空間的位置に基づいて、前記複数の情報を処理することにより取得されるシステムにおいて、
前記システムは、手術器具（５）に関連付けられるとともに、前記患者（Ｐ）の前記身体の前記内部部分（Ｐｉ）内に挿入可能なプローブを備えており、
前記プローブは、内部に生成される光束の散乱領域を有する少なくとも一つの光学的ガイドと、前記患者（Ｐ）の前記体内に挿入された場合の前記プローブの空間的配置を特定するために前記光束の散乱を検出する検出手段と、を備えており、
前記制御ユニット（２）はまた、前記特定された空間的配置に基づいて前記プローブの画像の、前記ビューア（３）上への投影を制御するよう構成されており、
前記散乱領域は、前記光学的ガイドの少なくとも一部に沿って順に配置される一連の第一散乱領域によって構成されるシステム。
【請求項２】
請求項１に記載のシステム（１）において、前記散乱領域はまた、前記光学的ガイドの少なくとも一部に沿って順に配置されるとともに前記少なくとも一つの光学的ガイドの中心軸に対して互い違いに径方向に配置される一連の第二散乱領域によっても構成されるシステム。
【請求項３】
請求項２に記載のシステム（１）において、前記一連の第二散乱領域は、前記一連の第一散乱領域に対して９０°の角度で配置されており、前記角度は、前記少なくとも一つの光学的ガイドの中心軸に対して測定されるシステム。
【請求項４】
請求項２または３に記載のシステム（１）において、前記プローブは好ましくは二つの平行な光学的ガイドを備えており、前記一連の第一散乱領域と前記一連の第二散乱領域は、前記二つの光学的ガイドのうちの一つの上にそれぞれ構成されるシステム。
【請求項５】
請求項１から４のいずれか一項に記載のシステム（１）において、
前記少なくとも一つの光学的ガイドは、光源に特にレーザ源に接続されるとともに、一の自由端部に配置される反射壁を有しており、
オシロスコープに接続される方向性結合器が、前記レーザ源と前記反射壁との間に配置されるシステム。
【請求項６】
請求項１から５のいずれか一項に記載のシステム（１）において、
前記制御ユニット（２）に接続される映像変換アッセンブリを備えており、
前記映像変換アッセンブリは好ましくは、少なくとも二つのＶＧＡ−ＨＤＭＩ（登録商標）コンバータと少なくとも一つのＢＮＣ−ＨＤＭＩ（登録商標）コンバータと少なくとも二つのＨＤＭＩ（登録商標）ポートとを備えるシステム。
【請求項７】
請求項１から６のいずれか一項に記載のシステムにおいて、患者の身体の前記内部状態と関連する前記複数の情報が、少なくとも一つのスキャン、例えばＲＸ、ＭＲＩ、ＣＴ、ＣＴ−ＰＥＴを用いて取得されるシステム。
【請求項８】
請求項１から７のいずれか一項に記載のシステム（１）において、前記ビューア（３）は、手術医と前記患者（Ｐ）の前記身体の部分との間の視軸上に配置されるシステム。
【請求項９】
請求項１から８のいずれか一項に記載のシステム（１）において、前記ビューア（３）は、手術医が顔に着用可能なビューアによって例えば眼鏡によって構成されるシステム。
【請求項１０】
請求項１から９のいずれか一項に記載のシステム（１）において、
前記制御ユニット（２）に接続される、前記患者（Ｐ）の前記身体の外面を検出するための第二検出手段（６）を備えており、
前記第二検出手段（６）は、例えば、カメラまたはステレオカメラを、好ましくは前記ビューア（３）と一体的なカメラまたはステレオカメラを備えるシステム。
【請求項１１】
請求項１０に記載のシステム（１）において、
前記患者（Ｐ）の前記身体の前記外面を検出するための前記第二検出手段（６）は、前記患者（Ｐ）の前記身体の前記内部部分（Ｐｉ）の前記外面上に配置されるのに適した検出可能な少なくとも三つの第一物理的マーカを備えており、
前記制御ユニット（２）は、前記ビューア（３）上に投影される画像の仮想マーカの第一内部状態を前記第一物理的マーカと位置合わせするよう構成されるシステム。
【請求項１２】
請求項１０または１１に記載のシステム（１）において、前記患者（Ｐ）の前記身体の前記外面を検出するための前記第二検出手段（６）は、前記患者（Ｐ）の生体パラメータをリアル・タイムに決定するよう、超音波振動子、慣性計測ユニットおよび測定エンコーダのうちの少なくとも一つを備えるシステム。
【請求項１３】
請求項１０に記載のシステムにおいて、
前記プローブに配置されるとともに、使用時に前記患者（Ｐ）の前記身体の外部に配置されるのに適した第二物理的マーカを備えており、
前記患者（Ｐ）の前記身体の前記外面の前記第二検出手段（６）はまた、前記第二マーカの物理的位置を検出するよう構成されるシステム。
【請求項１４】
請求項１から１３のいずれか一項に記載のシステムにおいて、前記システム（１）によって予め決められる基準系に対する前記プローブのデカルト座標Ｘ，Ｙ，Ｚを提供することができる五つの自由度を有する人間型ロボットアームを備えるシステム。
【請求項１５】
請求項１から１４のいずれか一項に記載のシステム（１）において、前記患者の内部組織の密度を検出するように構成されたセンサ、好ましくは損失変調光ファイバ干渉測定センサを備えるシステム。
【手続補正書】
【提出日】令和1年11月8日(2019.11.8)
【手続補正１】
【補正対象書類名】特許請求の範囲
【補正対象項目名】全文
【補正方法】変更
【補正の内容】
【特許請求の範囲】
【請求項１】
ダウンロール方向を有する一体のエキスパンドメタルメッシュであって、前記メッシュは、
ａ）前記ダウンロール方向に対して実質的に平行である、複数の線状のストランドと、
ｂ）ノードにおいて前記線状のストランドと交わる、複数の交差ストランドと、を備え、
前記一体のエキスパンドメタルメッシュは、前記ダウンロール方向において計測した長さが３．００ｍ超の長さである、一体のエキスパンドメタルメッシュ。
【請求項２】
線状のストランドに沿って計測した、ノード間の平均距離が、４．０００ｃｍ未満かつ０．０３０ｃｍ超である、請求項１に記載の一体のエキスパンドメタルメッシュ。
【請求項３】
ｃ）請求項１又は２に記載の前記一体のエキスパンドメタルメッシュと、
ｄ）ポリマーマトリックスと、を備える複合材料。
【請求項４】
前記ポリマーマトリックスが、未硬化の硬化性樹脂、又は部分的に硬化した硬化性樹脂である、請求項３に記載の複合材料。
【請求項５】
ｅ）織布繊維スクリムか、
ｆ）不織布繊維スクリムか、
の一方又は両方を更に備える、請求項３又は４に記載の複合材料。
【請求項６】
請求項１又は２に記載の一体のエキスパンドメタルメッシュの製造方法であって、
ｇ）ダウンロール方向を有する金属シートを用意する工程と、
ｈ）前記金属シートの先端部付近の切断工程と、前記シートの前記金属のストランドの曲げ工程とを、前記金属シートの前記ダウンロール方向に対して斜めに配置されたツールを用いて同時に行う工程であって、前記切断工程が、前記シート内で間隔を置いて離れたスリットの列を切り込む工程を含み、前記曲げ工程が、各スリットと隣接する前記シートの金属の薄いストランドを下方向に曲げて、前記ストランドが前記金属シートの平面に対して直交する方向に出っ張るようにする、工程と、
ｉ）前記金属シートを前記ダウンロール方向へ進める工程と、
ｊ）工程ｈ）を繰り返すことによってスリットの列に隣接する前記間隔が、前記金属シートの前記ダウンロール方向に実質的に平行な線となるようにする工程と、を含む製造方法。
【請求項７】
前記ツールが、前記シートに対して直交する方向に延びる複数の突起部を含み、前記突起部が、三角形状又は弓形状を有し、前記スリットの列は同一線上のスリットの列である、請求項６に記載の方法。
【請求項８】
工程ｈ）の各繰り返しに伴って、前記ツールが、前記シートの横方向に対して、２つの位置間を交互に移動する、請求項６又は７に記載の方法。
【請求項９】
工程ｈ）の各繰り返しの間に、前記ツールが、前記シートの横方向に対して移動しない、請求項６又は７に記載の方法。
【請求項１０】
請求項１又は２に記載の一体のエキスパンドメタルメッシュの製造方法であって、
ｐ）ダウンロール方向を有する金属シートを用意する工程と、
ｑ）前記シートに切り込みを入れて、間隔を置いて離れた複数のスリットの列を有するスリット金属シートを形成する工程であって、前記スリットの列が、前記シートの前記ダウンロール方向に対して斜めに方向付けられ、スリットの列に隣接する前記間隔が、前記金属シートの前記ダウンロール方向に対して実質的に平行な線となる、工程と、
ｒ）前記スリット金属シートを、前記金属シートの前記ダウンロール方向に対して平行でない方向に引き延ばし、一体のエキスパンドメタルメッシュを形成する、工程と、
を含む製造方法。